(57)【要約】【課題】  ロータおよびアーマチュアの対向面に潤滑油が付着するのを防止して、必要なトルクを確保し得る電磁連結装置の提供。【解決手段】  互いに対向配置された対向面をそれぞれ有するロータおよびアーマチュアと、所定値の電流が印加されることによりロータの対向面とアーマチュアの対向面とを互いに吸着させるよう磁束を発生させるためのコイルを装着したヨークとを備え、ロータの回転中心軸部をヨークの中心に、潤滑油により潤滑性を付与した軸受を介して挿通し、ロータの対向面を形成する対向部のうち、回転中心軸部より径方向外方の所定領域に、ロータの径方向の磁束を制限する磁束制限部を形成し、磁束制限部は対向部のうちの他の部分に比べて薄肉に形成した構成の電磁連結装置。【選択図】  図１
2011127649.tif 000002
【特許請求の範囲】
【請求項１】
互いに対向配置された対向面をそれぞれ有するロータおよびアーマチュアと、所定値の電流が印加されることによりロータの対向面とアーマチュアの対向面とを互いに吸着させる磁束を発生させるためのコイルを装着したヨークとを備え、ロータの回転中心軸部がヨークの中心に、潤滑油により潤滑性を付与した軸受を介して挿通された電磁連結装置において、
ロータの対向面を形成する対向部のうち、前記回転中心軸部より径方向外方の所定領域に形成した少なくとも二つの磁束制限部を前記所定領域以外の部分に比べて薄肉に形成することで、ロータの径方向の磁束を制限するようにしていることを特徴とする電磁連結装置。
【発明の詳細な説明】
【技術分野】
【０００１】
本発明は、電磁作用により主動側から従動側にトルクを伝達・遮断する電磁連結装置に関する。
【背景技術】
【０００２】
動力源である主動側から従動側にトルクを伝達・遮断するための電磁連結装置が、従来から種々提案されている（例えば特許文献１参照）。
従来の電磁連結装置は、互いに対向配置された対向面をそれぞれ有するロータおよびアーマチュアと、所定値の電流が印加されることによりロータの対向面とアーマチュアの対向面とを互いに吸着させるよう磁束を発生させるためのコイルを装着したヨークとを備えている。
ロータの回転中心軸部が、ヨークの中心に、潤滑性を備えた軸受を介して挿通されている。軸受は潤滑油を含浸させた焼結体からなる滑り軸受や、潤滑油（グリース）を封入した転がり軸受が用いられる。
また、ロータの対向面に、ロータの径方向の磁束を遮断する磁束遮断孔（磁束遮断部）を形成している。
【先行技術文献】
【特許文献】
【０００３】
【特許文献１】特開２００８−３０９２６５号公報
【発明の概要】
【発明が解決しようとする課題】
【０００４】
上記構成の電磁連結装置では、ロータの対向面に磁束遮断孔を形成しているから、電磁連結装置が駆動すると（ロータが回転すると）、軸受の潤滑油が磁束遮断孔に入り込んで、ロータおよびアーマチュアの対向面に付着してしまう場合がある。そうなると対向面の摩擦係数が低下し、対向面どうしが滑って、電磁連結装置として必要なトルクが従動側に伝えられなくなってしまうという問題がある。
【０００５】
そこで本発明は、ロータおよびアーマチュアの対向面に潤滑油が付着するのを防止して、必要なトルクを安定的に確保し得る電磁連結装置の提供を目的とする。
【課題を解決するための手段】
【０００６】
本発明は、互いに対向配置された対向面をそれぞれ有するロータおよびアーマチュアと、所定値の電流が印加されることによりロータの対向面とアーマチュアの対向面とを互いに吸着させる磁束を発生させるためのコイルを装着したヨークとを備え、ロータの回転中心軸部がヨークの中心に、潤滑油により潤滑性を付与した軸受を介して挿通された電磁連結装置において、ロータの対向面を形成する対向部のうち、前記回転中心軸部より径方向外方の所定領域に形成した少なくとも二つの磁束制限部を前記所定領域以外の部分に比べて薄肉に形成することで、ロータの径方向の磁束を制限するようにしていることを特徴としている。
【０００７】
上記構成において、コイルに所定の電流を供給すると、コイルによって起磁力が発生してコイル周りに磁束が発生し、磁束はロータの対向部へ通ってアーマチュアへ伝わり、ロータとアーマチュアの対向面の間に吸引力が発生して、アーマチュアがロータ側に回転中心軸部の軸線方向に移動して対向面どうしが吸着されると、ロータのトルクがアーマチュアに伝達され、アーマチュアが軸線を中心に回転し、アーマチュアの回転によるトルクが従動機器側に伝達される。
【０００８】
ロータの径方向の磁束を制限する磁束制限部は、ロータの対向部の他の部分に比べて薄肉に形成されているだけで、軸線方向に貫通する孔ではないから、回転中心軸部が回転することで、軸受の潤滑油がアーマチュア側へ流れていった場合に、潤滑油がアーマチュア側へ流れていっても、潤滑油がロータの対向面に至るのを妨げられる。
このため、ロータとアーマチュアの対向面に潤滑油が付着せず、潤滑油の付着していない対向面どうしが吸着されるから、ロータの回転力がそのままアーマチュアに伝えられることになって、電磁連結装置として必要なトルクが得られる。
また、ロータにおいて回転中心軸部より径方向外方の所定領域以外の部分は、薄肉に形成していない（本来の肉厚を確保している）から、薄肉の磁束制限部を形成してもロータの、必要な剛性を確保することができる。
【発明の効果】
【０００９】
本発明の電磁連結装置では、ロータの対向面を形成する対向部に、対向部の他の部分に比べて薄肉に形成された磁束制限部が形成されて、ロータに径方向の磁束を遮断する孔がないから、軸受側からの潤滑油がロータの対向面に移動せず、アーマチュアの対向面がロータの対向面に吸着されれば、ロータの回転力がそのままアーマチュアに伝えられて、電磁連結装置として必要なトルクを安定的に確保することができる。
【図面の簡単な説明】
【００１０】
【図１】本発明の実施形態を示す電磁連結装置の概略構成を示す半断面図
【図２】同じくロータの断面図
【図３】同じくロータの正面図
【図４】別の実施形態を示す磁束制限部の拡大断面図
【発明を実施するための形態】
【００１１】
以下、本発明に係る電磁連結装置を、図面に基づいて説明する。この電磁連結装置は、例えば車両のスライドドアの自動開閉装置として用いられる。図１は電磁連結装置の概略構成を示す半断面図、図２はロータの断面図、図３はロータの正面図である。
【００１２】
これらの図に示すように、本発明の実施形態に係る電磁連結装置１は、それぞれ対向面３ａ，２２ａを有するロータ２およびアーマチュア３と、ヨーク４とを備えている。
ロータ２は、筒状の回転中心軸部２１と、対向部２２（基盤部とも称する）と、環状部２３とから、プレス成形により一体的に形成されている。なお、ロータ２はプレス成形以外に、たとえば鋳物や切削といった他の方法で成形されていてもよい。
対向部２２は、回転中心軸部２１の一端側（アーマチュア３側）に形成されている。対向部２２は回転中心軸部２１よりも大径に形成されるとともに、回転中心２１ａに直交する方向の円盤状に形成されている。環状部２３は対向部２２の径方向外方端に、他端側に折曲して形成されている。
ロータ２の対向部２２とアーマチュア３とは、回転中心軸部２１の回転中心２１ａ方向で対向しており、対向部２２のアーマチュア３に対向する面、アーマチュア３の対向部２２に対向する面がそれぞれロータ２、アーマチュア３の対向面３ａ，２２ａである。対向面３ａ，２２ａの間には不図示の波形バネが介装されている。なお、アーマチュア３には、磁束遮断用の磁束遮断孔３ｂが形成されている。
【００１３】
ロータ２の対向部２２に、ロータ２の径方向の磁束を制限する磁束制限部２２１，２２２が、対向部２２の、回転中心軸部２１よりも径方向外方の領域で且つ環状部２３よりも径方向内方（所定領域に相当する）に配置されている。磁束制限部２２１，２２２は、ロータ２の回転中心２１ａを中心とした同心円上で半径方向に位置をずらして、それぞれ周方向所定間隔置きに形成され、且つ対向面２２ａを窪ませるようにした溝状に形成されている。
磁束制限部２２１，２２２は、それぞれ対向面２２ａに三箇所だけ形成されている。磁束制限部２２１と磁束制限部２２２との位置関係は、磁束制限部２２１が磁束制限部２２２に対して径方向外方に配置されている。また、磁束制限部２２１と磁束制限部２２２とは、周方向に相対的に位置ずれしており、磁束制限部２２１，２２２を径方向に投影した場合に、内方の磁束制限部２２２が外方の磁束制限部２２１の間にあるよう配置されている。
【００１４】
特に、ロータ２の対向部２２の、磁束制限部２２１，２２２それぞれの周方向における各間の領域は本来の肉厚のままの厚肉部分であって、磁束を制限しない磁束非制限部２２１ａ，２２２ａである。また、ロータ２の対向部２２の、磁束制限部２２１，２２２それぞれの径方向における各間の領域もまた、本来の肉厚のままの厚肉部分である。このように、磁束非制限部２２１ａ，２２２ａおよび厚肉部分を設けることで、薄肉の磁束制限部２２１，２２２を形成したとしても、ロータ２の必要な剛性を損なうことはない。
なお、磁束制限部２２１，２２２は、必要に応じて形成する個数や形状を変更してもよいことは勿論である。また、磁束非制限部２２１ａ，２２２ａは、磁束制限部２２１，２２２に比べて肉厚が厚ければ、対向部２２の本来の肉厚に比べて薄肉に形成してもよい。
【００１５】
ヨーク４は、所定値の電流が印加されることによりロータ２の対向面２２ａとアーマチュアの対向面３ａとを互いに吸着させるよう磁束を発生させるためのコイル４１を装着している。
ロータ２の回転中心軸部２１がヨーク４の中心に、潤滑油により潤滑性を付与した軸受５、この場合滑り軸受を介して挿通されている。軸受５は潤滑油を含浸させた焼結体から構成されている。
【００１６】
上記構成において、コイル４１に所定の電流を供給すると、コイル４１によって起磁力が発生してコイル４１周りに磁束が発生する。磁束はロータ２の対向部２２へ通ってアーマチュア３へ伝わり、ロータ２とアーマチュア３の対向面２２ａ，３ａの間に吸引力が発生して、アーマチュア３がロータ２側に回転中心軸部２１の回転中心２１ａに沿って移動し、対向面２２ａ，３ａどうしが吸着される。そうなると、ロータ２とアーマチュア３とがロックされ、アーマチュア３が回転中心２１ａを中心に回転し、アーマチュア３の回転によるトルクが従動機器側に伝達される。
【００１７】
上記構成の電磁連結装置１では、ロータ２の径方向の磁束を制限する磁束制限部２２１，２２２は、ロータ２の対向部の他の部分に比べて薄肉に形成されているだけで、対向部２２を貫通する孔ではない。このため、回転中心軸部２１が回転することで、軸受５の潤滑油がアーマチュア３側へ流れていった場合でも、潤滑油がロータ２の対向面２２ａに至るのが妨げられる。このため、ロータ２とアーマチュア３の対向面２２ａ，３ａに潤滑油が付着しない。
【００１８】
潤滑油の付着していない対向面２２ａ，３ａどうしが吸着されれば、ロータ２の回転力がそのままアーマチュア３に伝えられることになって、電磁連結装置１として必要なトルクが得られる。また、金属粉や細かな不要物もアーマチュア３側へ行かないから、対向面２２ａ，３ａの間に不要な物が入らない。このため対向面２２ａ，３ａどうしが確実に吸着されて、電磁連結装置１として必要なトルクが得られる。
【００１９】
また、磁束制限部２２１，２２２は対向部２２を貫通する孔ではなく、対向面２２ａに形成した凹部である。このため対向部２２の所定領域を穿つことで形成することによって発生していたバリの発生もない。このため、バリを取除くための煩わしい作業が不要になる。
【００２０】
本発明は上記実施形態に限定されず、本発明の主旨を逸脱しない範囲で種々変形が可能である。その他、各部の具体的構成についても上記実施形態に限られるものではない。
例えば、上記実施形態では、磁束制限部２２１，２２２は、対向面２２ａをヨーク４側に窪ませるようにした溝状に形成した。この磁束制限部２２１，２２２の別例として、図４に示すような構成が考えられる。図４は磁束制限部２２１，２２２の拡大断面図である。
図４に示す例では、対向面２２ａをヨーク４側に窪ませるとともに、対向面２２ａの反対側面２２ｂ（ヨーク４側の面）をアーマチュア３側に窪ませた構成とし、磁束制限部２２１，２２２を対向部２２の他の部分に比べてさらに薄肉に形成している。
このように構成しても、潤滑油がロータ２とアーマチュア３の対向面２２ａ，３ａに付着せず、潤滑油の付着していない対向面２２ａ，３ａどうしが吸着されれば、ロータ２の回転力がそのままアーマチュア３に伝えられることになって、電磁連結装置１として必要なトルクが得られる。
【００２１】
上記実施形態では、磁束制限部２２１，２２２はロータ２の回転中心２１ａを中心とした一つの同心円上に、周方向所定間隔置きに形成した。しかしながら、磁束制限部２２１，２２２は、ロータ２の回転中心２１ａを中心とした異なる複数の同心円上に、それぞれ周方向所定間隔置きに形成した構成とすることもできる。
【００２２】
ところで、このような電磁連結装置１では、潤滑油が従動側からアーマチュア３の磁束遮断孔３ｂを通ってロータ２側に流れ、対向面２２ａ，３ａに付着する場合がある。このような場合では、アーマチュア３の磁束遮断孔３ｂの代わりに、アーマチュア３を貫通しない磁束制限部を設けることが好ましい。
【符号の説明】
【００２３】
１…電磁連結装置、２…ロータ、３…アーマチュア、３ａ，２２ａ…対向面、４…ヨーク、５…軸受、２１…回転中心軸部、２１ａ…回転中心、４１…コイル、２２１，２２２…磁束制限部
【図１】
2011127649.tif 000003
【図２】
2011127649.tif 000004
【図３】
2011127649.tif 000005
【図４】
2011127649.tif 000006